(57)【要約】      （修正有）【課題】介護者の負担を少なくする為に体の不自由な人を円座クッションや座ぶとんの上に腰かけさせて自由に引っぱることができるようにする。【解決手段】円座クッションや座ふとんに、とって１を、とりつけ、引っぱることができるようにする。体の不自由な人や体のぐらつく人の為には、円座クッションや座ぶとんに前あて２や背もたれ３をとりつけ、ベルト４やとめ具５で固定できるようにする。【選択図】図２
0003139818.tif 000002
【実用新案登録請求の範囲】
【請求項１】
とってのついた円座クッション及び座ぶとん
【請求項２】
体に固定するためのベルト又はとめ具をつけた円座クッション及び座ぶとん
【考案の詳細な説明】
【技術分野】
【０００１】本考案は介護者の負担を少なくした、引っぱって動かすことができる介護用円座クッション及び介護用座ぶとんに関するものである。
【背景技術】
【０００２】体の不自由な人を一度座らせると体をもちあげなければ、移動させることができないので、介護者にとっては、移動させるのがたいへんな負担であり、重労働だった。
また、ベッドなどに、一度座ってしまった体の不自由な人を円座クッションや座ぶとんの上に、座らせる時も、体の不自由な人の体をもちあげなければならないので、介護者にとっては、たいへんな負担であり、重労働だった。
【考案の開示】
【考案が解決しようとする課題】
【０００３】体が不自由な人を、一度座らせると、体を持ちあげなければ、移動させることができないので、介護者にとっては、移動させるのが、たいへんな負担であり、重労働であるという問題点があった。
また、ベッドなどに一度、座ってしまった体の不自由な人を円座クッションや座ぶとんの上に、座らせる時も、体の不自由な人の体を持ちあげなければならないので、介護者にとっては、たいへんな負担であり、重労働であるという問題点があった。
【課題を解決する為の手段】
【０００４】引っぱるだけで、ベッドの上を自由に移動できるよう、円座クッション及び座ぶとんに、とって（図２−▲１▼）（図６−▲１▼）（図１０−▲１▼）（図１２−▲１▼）（図１３−▲１▼）（図１４−▲１▼）（図１７−▲１▼）（図１９−▲１▼）（図２１−▲１▼）（図２３−▲１▼）（図２４−▲１▼）（図２５−▲１▼）をつけた。
とっては、二ヶ所でも三ヶ所でも、四ヶ所でもよい。また、円座クッションは、丸い形でも四角い形でもよい。
また体が不自由な人やぐらつきやすい人の為には、円座クッション及び座ぶとんに、前あて（図１−▲２▼）（図５−▲２▼）（図１６−▲２▼）（図１８−▲２▼）や、背もたれ（図１−▲３▼）（図５−▲３▼）（図９−▲３▼）（図１６−▲３▼）（図１８−▲３▼）をとりつけ、ベルトや留め具などで、体に固定できるようにした。
【考案の効果】
一度、円座クッション又は座ぶとんの上に座らせて、固定させれば、ベッドの上では、とってをひっぱるだけで、すべらせて、移動させることができるので、体の不自由な人の体を、ひきあげて、起す必要もなくなり、介護者の負担が少なく、楽になった。
【考案を実施するための最良の形態】
【０００５】図面を参照にして、本考案の実施の形態を説明する。
円座クッションや座ぶとんに、とって（１）を、とりつけ、引っぱることができるようにする。
さらに、体の不自由な人や体のぐらつく人の為には、円座クッションや座ぶとんに前あて（２）や背もたれ（３）をとりつけ、ベルト（４）やとめ具（５）で固定できるようにする。
〔図１〕は円座クッションに前あて（２）と背もたれ（３）をとりつけ、ベルト（４）で、前でとめるようにしたものである。ベルト（４）の長さは留め具（５）のところで、調節できる（図２−▲１▼）のとってを持って引っぱる。
〔図５〕は〔図１〕のバリエイションである。
背もたれ（３）の部分を大きくし、留め具（６）を引っかける為の丈夫なループ（７）をとりつける。
とめ具（６）を自分のウェストにぴったりの位置のループ（７）に引っかけて固定させる。
〔図９〕も〔図１〕のバリエイションである。
四角い円座クッションに、前あて（２）と背もたれ（３）をとりつけ、とめ具（５）で留める、長さは背もたれのとめ具のところで調節できる。
〔図−１１〕も〔図１〕のバリエイションであるが、とめ具が前ではなく後にとりつけられており、後でとめるようになっている。
とめ具の長さはとめ具（５）の部分で調節できるようになっている。
〔図１３〕と〔図１４〕は円座クッションに、とって（１）をとりつけたものである。
一度、この円座クッションの上に、座らせた人をとって（１）を引っぱることにより、ベッドの上を自由に移動させることができる。
〔図１６〕は座ぶとんに、前あて（２）と背もたれ（３）をとりつけ、とめ具（５）で、留め体の不自由な人の体を固定し（図１７−▲１▼）のとってを引っぱることにより楽に移動できるようにする。
〔図１５〕は円座クッションの上に体の不自由な人を座らせて着装した状態のものである。
〔図１８〕は、座ぶとんに前あて（２）と背もたれ（３）を設けて、とめ具（５）でとめる。背もたれから続くとめ具の長さは調節できる。
〔図１９−▲１▼〕のとってをひっぱることにより、楽に移動できる。
〔図２０〕は座ぶとんに前あて（２）と背もたれ（３）を設ける。
背もたれ（３）の部分を大きくし、とめ具（６）を引っかける為の丈夫なループ（７）をとりつける、着用する人のウェストにぴったりの位置のループに前あてについているとめ具（６）をひっかけて体の不自由な人の体を、座ぶとんに固定する。
〔図２１−▲１▼〕のとってをひっぱることにより、ベッドの上などを楽に移動できる。
〔図２２〕は座ぶとんに、前あて（２）と背もたれ（３）を設け、とめ具（５）を、うしろにつけて、後でとめるようにしたものである。
〔図２３−１〕のとってをひっぱることにより、ベッドの上などを楽に、移動できる。
〔図２４〕は丸い座ぶとんに、引っぱるためのとって▲１▼を設ける。
〔図２５〕は四角い座ぶとんに引っぱる為のとって▲１▼を設ける。
とっては、二ヶ所でも、三ヶ所でも四ヶ所でもよい。
【図面の簡単な説明】
【図１】前あてや背もたれのついた円座クッションの斜視図である。
【図２】〔図１〕の介護用円座クッションの横からの斜視図である。
【図３】〔図１〕の介護用円座クッションの正面、平面図である。
【図４】〔図１〕の介護用円座クッションの後の平面図である。
【図５】〔図１〕のバリエイションである。ループに引っかけて、留めるようになっている前あて、背もたれのついた円座クッションの斜視図である。
【図６】〔図５〕の介護用円座クッションの横からの斜視図である。
【図７】〔図５〕の介護用円座クッションの正面・平面図である。
【図８】〔図５〕の介護用円座クッションの後の平面図である。
【図９】〔図１〕のバリエイションである。前あてや背もたれのついた円座クッションの斜視図である。
【図１０】〔図９〕の介護用円座クッションの横からの斜視図である。
【図１１】〔図１〕のバリエイションである。うしろで留めるようになっており前あて、背もたれのついている円座クッションの斜視図である。
【図１２】〔図１１〕の介護用円座クッションの横からの斜視図である。
【図１３】とってのついた丸い円座クッションの斜視図である。
【図１４】とってのついた四角い円座クッションの斜視図である
【図１５】ベッドの上で「引っぱるだけ移動できる介護用円座クッション」を着装した図である。
【図１６】前あてや背もたれのついた座ぶとんの斜視図である。
【図１７】〔図１６〕の介護用座ぶとんの横からの斜視図である。
【図１８】〔図１６〕のバリエイションである。前あて・背もたれのついた座ぶとんの斜視図である。
【図１９】〔図１８〕の介護用座ぶとんの横からの斜視図である。
【図２０】〔図１６〕のバリエイションである。ループで留めるようになっている介護用座ぶとんの斜視図である。
【図２１】〔図２０〕の介護用座ぶとんの横からの斜視図である。
【図２２】〔図１６〕のバリエイションである。うしろで留めるようになっている介護用座ぶとんの斜視図である。
【図２３】〔図２２〕の介護用座ぶとんの横からの斜視図である。
【図２４】とってのついた丸い座ぶとんの斜視図である。
【図２５】とってのついた四角い座ぶとんの斜視図である。
【符号の説明】
▲１▼円座クッション及び座ぶとんを引っぱる為の「とって」
▲２▼前あて
▲３▼背もたれ
▲４▼ベルト
▲５▼留め具
▲６▼ループにひっかける為のとめ具
▲７▼ループ
▲８▼ベルトを通すためのひも
【図１】
0003139818.tif 000003
【図２】
0003139818.tif 000004
【図３】
0003139818.tif 000005
【図４】
0003139818.tif 000006
【図５】
0003139818.tif 000007
【図６】
0003139818.tif 000008
【図７】
0003139818.tif 000009
【図８】
0003139818.tif 000010
【図９】
0003139818.tif 000011
【図１０】
0003139818.tif 000012
【図１１】
0003139818.tif 000013
【図１２】
0003139818.tif 000014
【図１３】
0003139818.tif 000015
【図１４】
0003139818.tif 000016
【図１５】
0003139818.tif 000017
【図１６】
0003139818.tif 000018
【図１７】
0003139818.tif 000019
【図１８】
0003139818.tif 000020
【図１９】
0003139818.tif 000021
【図２０】
0003139818.tif 000022
【図２１】
0003139818.tif 000023
【図２２】
0003139818.tif 000024
【図２３】
0003139818.tif 000025
【図２４】
0003139818.tif 000026
【図２５】
0003139818.tif 000027